(57)【特許請求の範囲】
【請求項１】
入出庫レベルとその下方の下側格納レベルとの間で昇降自在な下側昇降車両支持台が横方向に複数台並設され、前記入出庫レベルには、下側昇降車両支持台の並列方向と同一方向に横行可能で且つ下側昇降車両支持台の台数よりも少なくとも１台少ない台数の横行車両支持台が配設された立体駐車装置であって、横行車両支持台を支持する前後一対のガイドレールの内、少なくとも一方のガイドレールは、各下側昇降車両支持台ごとに対応するように横行車両支持台の横行方向に複数に分割され、各分割ガイドレールのそれぞれは、横行車両支持台を支持する支持位置と、下側昇降車両支持台の入出庫レベルまでの上昇を許す退避位置との間で移動可能であって、下側昇降車両支持台の上昇時に前記支持位置から退避位置へ移動させる分割ガイドレール位置切換手段が併設されている、立体駐車装置。
【請求項２】
横行車両支持台を支持する前後一対のガイドレールの内、車両出入り口側とは反対奥側のガイドレールが前記分割ガイドレールにより構成され、車両出入り口側のガイドレールは定位置に固定されている、請求項１に記載の立体駐車装置。
【請求項３】
前記車両出入り口側のガイドレールは、入出庫レベルにある車両支持台と地上側路面との間に架設された水平フレームの車両乗り移り用上面の下側に横向き凹溝状に設けられ、横行車両支持台には、前記横向き凹溝状ガイドレールに内嵌する左右一対の前部車輪と、前記分割ガイドレール上に係合する左右一対の後部車輪とが同一レベルに軸支されると共に、少なくとも片側の前部車輪と後部車輪とを１本の連動軸で連動連結し、この連動軸を駆動するモーターが設けられている、請求項２に記載の立体駐車装置。
【請求項４】
各分割ガイドレールが支持位置と退避位置との間で昇降可能に固定フレーム側に支持され、前記分割ガイドレール位置切換手段として、各下側昇降車両支持台に、入出庫レベルへの上昇時にその上の分割ガイドレールを退避位置へ押し上げる分割ガイドレール押し上げ部が設けられている、請求項１〜３の何れかに記載の立体駐車装置。
【請求項５】
前記分割ガイドレール位置切換手段として、各下側昇降車両支持台とその上の分割ガイドレールとを一体化する支持部材が設けられ、下側昇降車両支持台の入出庫レベルへの上昇に伴ってその上の分割ガイドレールが当該下側昇降車両支持台と一体に支持位置から退避位置へ上昇移動するように構成された、請求項１〜３の何れかに記載の立体駐車装置。
【請求項６】
各下側昇降車両支持台が、一端が固定フレーム側に係止されると共に他端側がモーター駆動の引き込み繰り出し手段により引き込み繰り出し操作される共通の吊り下げ索によって吊り下げられ、当該吊り下げ索の引き込み操作により、支持している分割ガイドレール上に横行車両支持台が乗っていない下側昇降車両支持台のみが入出庫レベルへ上昇するように構成され、分割ガイドレール上の定位置に乗っている横行車両支持台の浮き上がりを防止する浮き上がり防止部材が固定フレーム側に設けられている、請求項５に記載の立体駐車装置。
【請求項７】
下側昇降車両支持台が下側格納レベルにあるとき、当該下側昇降車両支持台に前記支持部材を介して支持されている分割ガイドレールの左右両端部を一定レベルに受け止める分割ガイドレール受け部材が固定フレーム側に設けられている、請求項５又は６に記載の立体駐車装置。
【請求項８】
前記支持部材の下端部が下側昇降車両支持台上に前後揺動自在に軸支され、当該支持部材の上端部の前後方向位置を規制する昇降ガイド手段が併設されている、請求項５〜７の何れかに記載の立体駐車装置。
【請求項９】
前記支持部材として、下側昇降車両支持台の前後方向端部に門形フレームが立設され、この門形フレーム上に分割ガイドレールが支持されている、請求項５〜８の何れかに記載の立体駐車装置。
【請求項１０】
入出庫レベルとその上方の上側格納レベルとの間で昇降自在な上側昇降車両支持台が各下側昇降車両支持台の上方に配設され、下方に横行車両支持台が在席しない位置の上側昇降車両支持台のみを入出庫レベルへ下降させ得るようにした立体駐車装置であって、入出庫レベルに下降した上側昇降車両支持台が、その下側の支持位置にある分割ガイドレールにより受け止められるように構成された、請求項１〜９の何れかに記載の立体駐車装置。
【発明の詳細な説明】
【０００１】
【発明の属する技術分野】
本発明は、入出庫レベルとその下方の下側格納レベルとの間で昇降自在な下側昇降車両支持台が横方向に複数台並設され、前記入出庫レベルには、下側昇降車両支持台の並列方向と同一方向に横行可能で且つ下側昇降車両支持台の台数よりも少なくとも１台少ない台数の横行車両支持台が配設された立体駐車装置に関するものである。
【０００２】
【従来の技術】
この種の立体駐車装置は、下側格納レベルにある下側昇降車両支持台に対して車両の出し入れを行うとき、入出庫レベルの横行車両支持台を横行させて、入出庫対象の下側昇降車両支持台の真上の入出庫レベルを空け、この後、入出庫対象の下側昇降車両支持台を下側格納レベルから入出庫レベルまで上昇させるものであるが、入出庫レベルの横行車両支持台の前後両端部を支持する横行用ガイドレールが必要であるが、従来は、前後一対の横行用ガイドレールを固定フレーム側の定位置に支持させることが考えられていた。
【０００３】
【発明が解決しようとする課題】
上記のように前後一対の横行用ガイドレールを固定フレーム側の定位置に支持させる構成では、当該前後一対の横行用ガイドレールで支持される横行車両支持台、即ち、入出庫レベルにある横行車両支持台と同一レベル（入出庫レベル）まで下側昇降車両支持台を上昇させようとしたとき、上昇する下側昇降車両支持台と横行用ガイドレールとが互いに干渉しないように構成する必要がある。一方、下側昇降車両支持台の端部には、横行用ガイドレールより外側に突出する吊下部（被吊下用シーブを軸支する部分等）を設けなければならないので、下側昇降車両支持台が入出庫レベルまで上昇したとき、当該下側昇降車両支持台の後端と前記吊下部との間に前記横行用ガイドレールが入り込むように構成する必要がある。換言すれば、下側昇降車両支持台の後端に直接吊下部を設けることができず、下側昇降車両支持台の後端から下側に突出して後方に延出する支持部材を介して吊下部を支持する必要があり、下側昇降車両支持台の全体の厚さが大きくなる。この結果、下側昇降車両支持台を地下１階の車両格納用として使用する立体駐車装置を構成しようとすると、地下ピットの深さが深くなる問題点があった。
【０００４】
【課題を解決するための手段】
本発明は上記のような従来の問題点を解消し得る立体駐車装置を提供することを目的とするものであって、その手段を後述する実施形態の参照符号を付して示すと、入出庫レベルＧとその下方の下側格納レベルＤとの間で昇降自在な下側昇降車両支持台３Ａ〜３Ｃが横方向に複数台並設され、前記入出庫レベルＧには、下側昇降車両支持台３Ａ〜３Ｃの並列方向と同一方向に横行可能で且つ下側昇降車両支持台３Ａ〜３Ｃの台数よりも少なくとも１台少ない台数の横行車両支持台２Ａ，２Ｂが配設された立体駐車装置であって、横行車両支持台２Ａ，２Ｂを支持する前後一対のガイドレールの内、少なくとも一方のガイドレールは、各下側昇降車両支持台３Ａ〜３Ｃごとに対応するように横行車両支持台２Ａ，２Ｂの横行方向に複数に分割され、各分割ガイドレール４０のそれぞれは、横行車両支持台２Ａ，２Ｂを支持する支持位置と、下側昇降車両支持台３Ａ〜３Ｃの入出庫レベルＧまでの上昇を許す退避位置との間で移動可能であって、下側昇降車両支持台３Ａ〜３Ｃの上昇時に前記支持位置から退避位置へ移動させる分割ガイドレール位置切換手段が併設された構成となっている。
【０００５】
上記構成の本発明装置を実施するに際しては、横行車両支持台２Ａ，２Ｂを支持する前後一対のガイドレールの両方共、前記支持位置と退避位置とに位置切換可能に構成することもできるが、当該前後一対のガイドレールの内、車両出入り口側とは反対奥側のガイドレールを前記分割ガイドレール４０により構成し、車両出入り口側のガイドレール（横向き凹溝状ガイドレール部２６）は定位置に固定するのが望ましい。
【０００６】
この場合、前記車両出入り口側のガイドレール（横向き凹溝状ガイドレール部２６）は、入出庫レベルＧにある車両支持台と地上側路面との間に架設された水平フレーム１２の車両乗り移り用上面の下側に横向き凹溝状に設け、横行車両支持台２Ａ，２Ｂには、前記横向き凹溝状ガイドレール（横向き凹溝状ガイドレール部２６）に内嵌する左右一対の前部車輪２７ａ，２７ｂと、前記分割ガイドレール４０上に係合する左右一対の後部車輪２８ａ，２８ｂとを同一レベルに軸支すると共に、少なくとも片側の前部車輪２７ａと後部車輪２８ａとを１本の連動軸２９で連動連結し、この連動軸２９をモーター３０で駆動するように構成することができる。
【０００７】
各分割ガイドレール４０は、下側昇降車両支持台３Ａ〜３Ｃとは別に、支持位置と退避位置との間で昇降可能に固定フレーム側に支持し、前記分割ガイドレール位置切換手段として、各下側昇降車両支持台３Ａ〜３Ｃに、入出庫レベルＧへの上昇時にその上の分割ガイドレール４０を退避位置へ押し上げる分割ガイドレール押し上げ部９９を設けることもできるが、前記分割ガイドレール位置切換手段として、各下側昇降車両支持台３Ａ〜３Ｃとその上の分割ガイドレール４０とを一体化する支持部材（門形フレーム３９）を設け、下側昇降車両支持台３Ａ〜３Ｃの入出庫レベルＧへの上昇に伴ってその上の分割ガイドレール４０が当該下側昇降車両支持台３Ａ〜３Ｃと一体に支持位置から退避位置へ上昇移動するように構成することが望ましい。
【０００８】
上記構成を採用する場合、各下側昇降車両支持台３Ａ〜３Ｃを、一端が固定フレーム側に係止されると共に他端側がモーター駆動の引き込み繰り出し手段６６により引き込み繰り出し操作される共通の吊り下げ索６７によって吊り下げ、当該吊り下げ索６７の引き込み操作により、支持している分割ガイドレール４０上に横行車両支持台２Ａ，２Ｂが乗っていない下側昇降車両支持台３Ａ〜３Ｃのみが入出庫レベルＧへ上昇するように構成し、分割ガイドレール４０上の定位置に乗っている横行車両支持台２Ａ，２Ｂの浮き上がりを防止する浮き上がり防止部材３４を固定フレーム側に設けることができる。
【０００９】
又、下側昇降車両支持台３Ａ〜３Ｃが下側格納レベルＤにあるとき、当該下側昇降車両支持台３Ａ〜３Ｃに前記支持部材（門形フレーム３９）を介して支持されている分割ガイドレール４０の左右両端部を一定レベルに受け止める分割ガイドレール受け部材５２を固定フレーム側に設けることができる。
【００１０】
更に、前記支持部材（門形フレーム３９）の下端部は、下側昇降車両支持台３Ａ〜３Ｃ上に前後揺動自在に軸支し、当該支持部材（門形フレーム３９）の上端部の前後方向位置を規制する昇降ガイド手段（奥側支柱７のリップ部（昇降ガイドレール）７ａと溝付きローラー４２）を併設することができる。又、前記支持部材として、下側昇降車両支持台３Ａ〜３Ｃの前後方向端部に門形フレーム３９を立設し、この門形フレーム３９上に分割ガイドレール４０を支持することができる。
【００１１】
又、本発明装置は、入出庫レベルＧとその上方の上側格納レベルＵとの間で昇降自在な上側昇降車両支持台１Ａ〜１Ｃが各下側昇降車両支持台３Ａ〜３Ｃの上方位置に配設され、下方に横行車両支持台２Ａ，２Ｂが在席しない位置の上側昇降車両支持台１Ａ〜１Ｃのみを入出庫レベルＧへ下降させ得るようにした立体駐車装置にも適用することができるが、この場合、入出庫レベルＧに下降した上側昇降車両支持台１Ａ〜１Ｃが、その下側の支持位置にある分割ガイドレール４０により受け止められるように構成することができる。
【００１２】
【発明の実施の形態】
以下に本発明の好適実施形態を添付図に基づいて説明すると、図１〜図３に於いて、この実施形態では、３台の上側昇降車両支持台１Ａ〜１Ｃ、２台の横行車両支持台２Ａ，２Ｂ、及び３台の下側昇降車両支持台３Ａ〜３Ｃによって、地下１階、地上２階の立体駐車装置が構成されている。
【００１３】
各上側昇降車両支持台１Ａ〜１Ｃは、上側格納レベルＵと入出庫レベル（地上レベル）Ｇとの間で昇降駆動手段４により昇降駆動されるもので、左右横方向に並設されている。各横行車両支持台２Ａ，２Ｂは、入出庫レベルＧで上側昇降車両支持台１Ａ〜１Ｃの並列方向に各別に自走可能なものである。各下側昇降車両支持台３Ａ〜３Ｃは、入出庫レベルＧと下側格納レベルＤとの間で昇降駆動手段５により昇降駆動されるもので、各上側昇降車両支持台１Ａ〜１Ｃの真下位置に位置するように、上側昇降車両支持台１Ａ〜１Ｃの並列方向に並設されている。
【００１４】
この立体駐車装置の固定フレームは、図１〜図６に示すように、地下ピット６の奥側で左右両端隅と各上側昇降車両支持台１Ａ〜１Ｃの中間位置とに立設された４本の奥側支柱７、この４本の奥側支柱７の上端部を連結一体化する奥側上端水平フレーム８、入出庫レベルＧより若干高い位置で４本の奥側支柱７の外側に付設されてこれら４本の奥側支柱７を連結一体化する奥側中間水平フレーム９、地下ピット６の入出庫入口側の左右両端に立設された２本の前側支柱１０、この２本の前側支柱１０の上端部を互いに連結一体化する前側上端水平フレーム１１、上面が地上側路面と略面一になるように２本の前側支柱１０の内側に付設されてこれら２本の前側支柱１０を互いに連結一体化する前側中間水平フレーム１２、及び奥側上端水平フレーム８と前側上端水平フレーム１１とを各奥側支柱７の位置で互いに連結一体化する４本の前後方向上端フレーム１３等を備えている。
【００１５】
各上側昇降車両支持台１Ａ〜１Ｃは、図４及び図５に示すように、被吊下用シーブ１５を前後方向支軸により軸支するシーブ支承部材１６が、奥側端部の巾方向中央位置に付設され、各上側昇降車両支持台１Ａ〜１Ｃの奥側端部の左右両端には、その左右両側に位置する固定フレームの奥側支柱７を構成するＨ形鋼のリップ部（昇降ガイドレール）７ａに嵌合する溝付きローラー１７が軸支されると共に、各上側昇降車両支持台１Ａ〜１Ｃの奥側端部に左右水平向きに支承された１本の回転軸１８の左右両端にそれぞれ２つの歯輪１９ａ，１９ｂ及び２０ａ，２０ｂが取り付けられ、各上側昇降車両支持台１Ａ〜１Ｃの奥側端部の左右両端近傍の下側には、被当接部材２１が付設され、各上側昇降車両支持台１Ａ〜１Ｃの前端寄りの左右両側辺には、それぞれ２つの歯輪２２ａ，２２ｂ及び２３ａ，２３ｂが、同一垂直平面内で前方下方位置と後方上方位置とに軸支され、更に、前側端部の左右両端には、前方に突出する被当接部材２４が付設されている。各被当接部材２１，２４の被当接面には、緩衝用弾性材２１ａ，２４ａが付設されている。
【００１６】
各横行車両支持台２Ａ，２Ｂは、図３及び図６〜図８に示すように、奥側後端に、当該横行車両支持台２Ａ，２Ｂの左右両側辺から立つ左右一対の支柱部２５ａと当該両支柱部２５ａの上端部間をつなぐ水平フレーム部２５ｂとから成る門形フレーム２５が立設され、各横行車両支持台２Ａ，２Ｂの前側端部には、固定フレームの前側中間水平フレーム１２の内側の横向き凹溝状ガイドレール部２６に嵌合する左右一対の前部車輪２７ａ，２７ｂが支承され、各横行車両支持台２Ａ，２Ｂの奥側端部には、前記前部車輪２７ａ，２７ｂと同心状の左右一対の後部溝付き駆動車輪２８ａ，２８ｂが支承され、片側の前後一対の前部車輪２７ａと後部溝付き車輪２８ａとは、前後方向の１本の連動軸２９により互いに連動連結され、この連動軸２９の後端近傍部が、各横行車両支持台２Ａ，２Ｂの一側辺内部に取り付けられたモーター３０に伝動歯車３１ａ，３１ｂを介して連動連結されている。なお、図示例では、固定フレームの前側中間水平フレーム１２がＨ形鋼から構成され、このＨ形鋼の片側の上下一対のリップ部間が横向き凹溝状ガイドレール部２６として使用されているが、前記水平フレーム１２とは別に、この水平フレーム１２の下側に、横行車両支持台２Ａ，２Ｂの前部車輪２７ａ，２７ｂを支持する横行用ガイドレールを付設しても良い。
【００１７】
門形フレーム２５の両支柱部２５ａの上端には、被当接部材２１（図４参照）を介して上側昇降車両支持台１Ａ〜１Ｃを受け止める受け止め部材３２が設けられている。又、各横行車両支持台２Ａ，２Ｂの奥側端部の左右両端上側に被当接部材（緩衝用弾性材）３３が付設され、これら各横行車両支持台２Ａ，２Ｂが上側昇降車両支持台１Ａ〜１Ｃの真下の定位置にあるとき、前記被当接部材３３の上側に若干の隙間を隔てて位置する浮き上がり防止部材３４が、固定フレームの各奥側支柱７の前側に取付部材３５を介して取り付けられている。この取付部材３５及び浮き上がり防止部材３４は、奥側支柱７を構成するＨ形鋼のリップ部（昇降ガイドレール）７ａに嵌合するように上側昇降車両支持台１Ａ〜１Ｃに軸支されている前記溝付きローラー１７の昇降を妨害しない位置に取り付けられている。
【００１８】
各下側昇降車両支持台３Ａ〜３Ｃは、図３及び図７〜図１１に示すように、奥側後端に、各下側昇降車両支持台３Ａ〜３Ｃの左右両側辺上に下端部が左右水平支軸３８を介して前後揺動自在に支承された左右一対の支柱部３９ａと当該両支柱部３９ａの上端部間をつなぐ水平フレーム部３９ｂとから成る、前後揺動自在な門形フレーム３９が立設され、この門形フレーム３９の水平フレーム部３９ｂ上に、各下側昇降車両支持台３Ａ〜３Ｃごとに分割された分割ガイドレール４０が支持部材４１を介して取り付けられ、更に、この分割ガイドレール４０の左右両端近傍部（門形フレーム３９の左右両上端部）には、それぞれに隣接する固定フレームの奥側支柱７を構成するＨ形鋼のリップ部（昇降ガイドレール）７ａに嵌合する溝付きローラー４２がローラー支承部材４３を介して支承され、門形フレーム３９の上端位置（分割ガイドレール４０の前後方向位置）が規制されている。
【００１９】
しかして、下側昇降車両支持台３Ａ〜３Ｃが下側格納レベルＤにあるとき、その上側に位置する横行車両支持台２Ａ，２Ｂの後部溝付き車輪２８ａ，２８ｂが分割ガイドレール４０上に嵌合して、横行車両支持台２Ａ，２Ｂが水平姿勢に支持されるように構成されている。
【００２０】
又、各下側昇降車両支持台３Ａ〜３Ｃには、被吊下用シーブ４４を前後方向支軸により軸支するシーブ支承部材４５が、奥側端部の巾方向中央位置に付設されている。そして、各下側昇降車両支持台３Ａ〜３Ｃの奥側端部に左右水平向きに支承された１本の回転軸４６の左右両端にそれぞれ２つの歯輪４７ａ，４７ｂ及び４８ａ，４８ｂが取り付けられ、各下側昇降車両支持台３Ａ〜３Ｃの前側端部の左右両端には、前方の各２つの歯輪４７ａ，４７ｂ及び４８ａ，４８ｂに対応するように、それぞれ同心状に並列する２つの歯輪４９ａ，４９ｂ及び５０ａ，５０ｂが軸受部材５１を介して軸支されている。
【００２１】
更に、各下側昇降車両支持台３Ａ〜３Ｃが下側格納レベルＤにあるとき、各下側昇降車両支持台３Ａ〜３Ｃが門形フレーム３９を介して支持する分割ガイドレール４０の左右両端を受け止める受け部材５２が、固定フレームの各奥側支柱７の前側に付設されている。この分割ガイドレール受け部材５２は、各奥側支柱７の前側に固着突設された支持部材５３上に支持された緩衝用弾性材から成る受け部材本体５４と、この受け部材本体５４を前後両側から挟んで当該受け部材本体５４上に分割ガイドレール４０の端部が嵌入する凹溝部を形成する前後一対の側板５５とから成るもので、中間の２本の奥側支柱７に付設された分割ガイドレール受け部材５２は、その両側に位置する下側昇降車両支持台の分割ガイドレール４０の隣接する端部を同時に支持するものである。この共通の分割ガイドレール受け部材５２で同時に支持される分割ガイドレール４０の端部は、互いに平行に斜めにカットされており、この共通の分割ガイドレール受け部材５２で同時に支持された分割ガイドレール４０の端部間を、横行車両支持台２Ａ，２Ｂの後部溝付き車輪２８ａ，２８ｂが円滑に乗り移ることができるように構成されている。
【００２２】
各下側昇降車両支持台３Ａ〜３Ｃの被吊下用シーブ４４を軸支するシーブ支承部材４５には、これら各下側昇降車両支持台３Ａ〜３Ｃが入出庫レベルＧまで上昇したとき（図３の下側昇降車両支持台３Ｂを参照）、固定フレームの奥側中間水平フレーム９の下側に付設された緩衝用弾性材から成る当接部材５６（図７及び図９参照）に当接する被当接部材５７が、図１０及び図１１に示すように、後方に突出するように付設されている。
【００２３】
上側昇降車両支持台１Ａ〜１Ｃの昇降駆動手段４は、図３及び図１２に示すように、固定フレームの奥側上端水平フレーム８の一端部上に搭載された引き込み繰り出し手段６０と、当該引き込み繰り出し手段６０によって引き込み繰り出し操作される１本の吊り下げ索６１とを有する。引き込み繰り出し手段６０は、モーター６２によって正逆回転駆動される巻取りドラム６３を備えたもので、この巻取りドラム６３に吊り下げ索６１の一端が係止されて巻き付けられている。当該吊り下げ索６１の他端は、前記奥側上端水平フレーム８の引き込み繰り出し手段６０のある側とは反対側の端部上に、緊張用スプリングユニット６４を介して係止されている。しかして、固定フレームの奥側上端水平フレーム８には、各上側昇降車両支持台１Ａ〜１Ｃごとに対応して左右一対の吊下用シーブ６５ａ，６５ｂが前後方向支軸により支承されており、巻取りドラム６３と緊張用スプリングユニット６４との間の吊り下げ索６１が、各左右一対の吊下用シーブ６５ａ，６５ｂ間で下方に引き出され、各上側昇降車両支持台１Ａ〜１Ｃの被吊下用シーブ１５に掛け渡されることにより、各上側昇降車両支持台１Ａ〜１Ｃを順番に吊り下げている。
【００２４】
下側昇降車両支持台３Ａ〜３Ｃの昇降駆動手段５は、図３及び図１２に示すように、固定フレームに於ける奥側上端水平フレーム８の、上側昇降車両支持台１Ａ〜１Ｃの昇降駆動手段４に於ける引き込み繰り出し手段６０のある側とは反対側の端部上に搭載された引き込み繰り出し手段６６と、当該引き込み繰り出し手段６６によって引き込み繰り出し操作される１本の吊り下げ索６７とを有する。引き込み繰り出し手段６６は、モーター６８によって正逆回転駆動される巻取りドラム６９を備えたもので、この巻取りドラム６９に吊り下げ索６７の一端が係止されて巻き付けられている。当該吊り下げ索６７の他端は、前記奥側上端水平フレーム８の引き込み繰り出し手段６６のある側とは反対側の端部上に、緊張用スプリングユニット７０を介して係止されている。しかして、固定フレームの奥側上端水平フレーム８には、各下側昇降車両支持台３Ａ〜３Ｃごとに対応して左右一対の吊下用シーブ７１ａ，７１ｂが前後方向支軸により支承されており、巻取りドラム６９と緊張用スプリングユニット７０との間の吊り下げ索６７が、各左右一対の吊下用シーブ７１ａ，７１ｂ間で下方に引き出され、各下側昇降車両支持台３Ａ〜３Ｃの被吊下用シーブ４４に掛け渡されることにより、各下側昇降車両支持台３Ａ〜３Ｃを順番に吊り下げている。
【００２５】
なお、吊り下げ索６１が掛張される各左右一対の吊下用シーブ６５ａ及び６５ｂと、吊り下げ索６７が掛張される各左右一対の吊下用シーブ７１ａ及び７１ｂとは、前記奥側上端水平フレーム８を構成する前後一対の溝形鋼間に共通の前後方向支軸により支承されている。又、吊り下げ索６１，６７としてワイヤーロープを使用しているが、引き込み繰り出し手段６０，６６をチェンに適合したものと替えると共に、各シーブに替えて歯輪を使用することにより、吊り下げ索６１，６７としてチェンを使用することもできる。
【００２６】
各上側昇降車両支持台１Ａ〜１Ｃと各下側昇降車両支持台３Ａ〜３Ｃとは、その奥側端部の巾方向中央位置のみが被吊下用シーブ１５，４４を介して吊り下げ索６１，６７により吊り下げられている。従って、各上側昇降車両支持台１Ａ〜１Ｃ及び各下側昇降車両支持台３Ａ〜３Ｃを、水平姿勢に保持する機構が必要である。図４、図５及び図１３〜図１６に示すように、各上側昇降車両支持台１Ａ〜１Ｃの水平保持機構には、左右各２本のチェン７２，７３及び７４，７５が使用されている。同一側の２本のチェン７２，７３の上端７２ａ，７３ａは、各上側昇降車両支持台１Ａ〜１Ｃの前側の片側にある歯輪２２ａ，２２ｂの上方に位置するように前後方向に位置をずらして、固定フレームに於ける前後方向上端フレーム１３に固定され、この固定上端７２ａ，７３ａから垂下する２本のチェン７２，７３は、前記歯輪２２ａ，２２ｂの下側を巻回して後方に延出し、そして各上側昇降車両支持台１Ａ〜１Ｃの奥側端部の片側にある歯輪１９ａ，１９ｂの上側を巻回して下方に垂下し、下端が、各歯輪１９ａ，１９ｂに合わせて左右横方向に位置をずらされた状態で、固定フレームに於ける奥側支柱７の下端に併設されたブラケット７６に係止されている。
【００２７】
同様に、反対側の２本のチェン７４，７５の上端７４ａ，７５ａは、各上側昇降車両支持台１Ａ〜１Ｃの前側の反対側にある歯輪２３ａ，２３ｂの上方に位置するように前後方向に位置をずらして、固定フレームに於ける前後方向上端フレーム１３に固定され、この固定上端７４ａ，７５ａから垂下する２本のチェン７４，７５は、前記歯輪２３ａ，２３ｂの下側を巻回して後方に延出し、そして各上側昇降車両支持台１Ａ〜１Ｃの奥側端部の反対側にある歯輪２０ａ，２０ｂの上側を巻回して下方に垂下し、下端が、各歯輪２０ａ，２０ｂに合わせて左右横方向に位置をずらされた状態で、固定フレームに於ける奥側支柱７の下端に併設されたブラケット７７に係止されている。
【００２８】
しかして、４本のチェン７２〜７５の内、奥側の内側歯輪１９ｂ，２０ｂに係合する内側２本のチェン７３，７５は、同一仮想垂直平面に沿って巻回され、その下端はチェン取付ボルト７８によりブラケット７６，７７に固定されるが、外側２本のチェン７２，７４は、前側の歯輪２２ａ，２３ａから後側の歯輪１９ａ，２０ａに至る間で外側へ斜めに掛張されることになる。この中間部分が斜めに掛張される外側２本のチェン７２，７４の下端は、ブラケット７６，７７に対して一定範囲内昇降自在なチェン取付ボルト７９と当該ボルト７９を下向きに付勢するスプリング（皿ばね等）８０とを介してブラケット７６，７７に取り付けられている。
【００２９】
各下側昇降車両支持台３Ａ〜３Ｃの水平保持機構も、図６、図１０、図１１及び図１３〜図１６に示すように、各上側昇降車両支持台１Ａ〜１Ｃの水平保持機構と基本的に同一であって、左右各２本のチェン８１，８２及び８３，８４が使用されており、各チェン８１〜８４の上端８１ａ〜８４ａは、各下側昇降車両支持台３Ａ〜３Ｃの前端にある各歯輪４９ａ〜５０ｂの上方に位置するように左右方向に位置をずらして、固定フレームに於ける前側中間水平フレーム１２の下側に固定され、この固定上端８１ａ〜８４ａから垂下する各チェン８１〜８４は、前記歯輪４９ａ〜５０ｂの下側を巻回して後方に延出し、そして各下側昇降車両支持台３Ａ〜３Ｃの奥側端部にある各歯輪４７ａ〜４８ｂの上側を巻回して下方に垂下し、下端が、各歯輪４７ａ〜４８ｂに合わせて左右横方向に位置をずらされた状態で、固定フレームに於ける奥側支柱７の下端に併設された前記ブラケット７６，７７に係止されている。
【００３０】
この４本のチェン８１〜８４は、何れも同一仮想垂直平面に沿って巻回されているが、外側に位置する２本のチェン８１，８３の下端は、各上側昇降車両支持台１Ａ〜１Ｃの水平保持機構における外側のチェン７２，７４と同様に、ブラケット７６，７７に対して一定範囲内昇降自在なチェン取付ボルト８５と当該ボルト８５を下向きに付勢するスプリング（皿ばね等）８６とを介してブラケット７６，７７に取り付けられている。８７は、内側２本のチェン８２，８４の下端をブラケット７６，７７に固定するチェン取付ボルトである。
【００３１】
なお、図１及び図９に於いて、８８は車両出し入れ口に設けられたゲートであり、入出庫レベルＧより低い地下ピット６内に退入した下降限位置と、入出庫レベルＧの車両出入り口を閉じる上昇限位置との間で昇降し得るように、固定フレームの２本の前側支柱１０に左右両端部が昇降可能に支持されている。
【００３２】
上記構成の立体駐車装置は、待機状態では、横行車両支持台２Ａ，２Ｂが在席しない入出庫レベルＧ上の空きスペースにその真上の上側格納レベルＵにある１台の上側昇降車両支持台１Ａ〜１Ｃを下降させておくのが望ましい。このとき、各横行車両支持台２Ａ，２Ｂは、図６に示すように、前端部が左右一対の車輪２７ａ，２７ｂを介して固定フレーム側の横向き凹溝状ガイドレール部２６に支持され、後端部が左右一対の溝付き車輪２８ａ，２８ｂを介して２台の下側昇降車両支持台３Ａ〜３Ｃが支持している２つの分割ガイドレール４０に支持され、水平状態に保持されている。上側格納レベルＵに残っている２台の上側昇降車両支持台１Ａ〜１Ｃは、図４に示すように、その被当接部材２１（緩衝用弾性材２１ａ）が真下の入出庫レベルにある横行車両支持台２Ａ，２Ｂの門形フレーム２５に付設されている受け止め部材３２に当接することにより、下側の横行車両支持台２Ａ，２Ｂによって上側格納レベルＵに支持されている。そして、入出庫レベルＧまで下降した状態の１台の上側昇降車両支持台１Ａ〜１Ｃは、前端部の左右一対の被当接部材２４（緩衝用弾性材２４ａ）が固定フレームの前側中間水平フレーム１２の上面に当接すると共に、後端側の被当接部材２１（緩衝用弾性材２１ａ）が真下の下側格納レベルＧにある１台の下側昇降車両支持台３Ａ〜３Ｃが支持している１つの分割ガイドレール４０上に当接することにより、入出庫レベルＧで水平に支持されている。
【００３３】
なお、下側格納レベルＤにある下側昇降車両支持台３Ａ〜３Ｃが門形フレーム３９を介して支持している分割ガイドレール４０は、その両端部が固定フレーム側の分割ガイドレール受け部材５２に嵌合支持されていることにより、車両出入り口側のガイドレール、即ち、固定フレームの前側中間水平フレーム１２で構成される横向き凹溝状ガイドレール部２６と平行に連続するガイドレールを構成している。そして、この各分割ガイドレール４０は、下側昇降車両支持台３Ａ〜３Ｃを各別に下側格納レベルＤに吊り下げ状態で支持すると共に、上側格納レベルＵにある２台の上側昇降車両支持台１Ａ〜１Ｃを門形フレーム２５を介して支持している横行車両支持台２Ａ，２Ｂや、入出庫レベルＧに下降している１台の上側昇降車両支持台１Ａ〜１Ｃを前記のように支持しているので、固定フレームの前側中間水平フレーム１２（横向き凹溝状ガイドレール部２６を含む）が支持する荷重を除いて、搭載車両を含む全ての車両支持台の荷重を支持していることになる。
【００３４】
実際の車両の出し入れについて説明すると、前記の待機状態において入出庫レベルＧに位置する２台の横行車両支持台２Ａ，２Ｂと１台の上側昇降車両支持台１Ａ〜１Ｃに対する車両の出し入れは、何時でも必要に応じて自由に行うことができる。上側格納レベルＵにある他の上側昇降車両支持台１Ａ〜１Ｃの１台に対して車両の出し入れを行う場合、先ず最初に、その入出庫対象の１台の上側昇降車両支持台１Ａ〜１Ｃの真下位置の入出庫レベルＧを空けるために横行車両支持台２Ａ，２Ｂを移動させる。
【００３５】
横行車両支持台２Ａ，２Ｂを移動させるに先立って、入出庫レベルＧに下降していた１台の上側昇降車両支持台１Ａ〜１Ｃを上側格納レベルＵまで上昇させるために、昇降駆動手段４の引き込み繰り出し手段６０の巻取りドラム６３をモーター６２により巻取り方向に回転駆動させる。この結果、端部が緊張用スプリングユニット６４によって固定フレーム側に係止されている吊り下げ索６１が引き込まれ、被吊下用シーブ１５を介して全ての上側昇降車両支持台１Ａ〜１Ｃに吊り上げ力が作用するが、車両を搭載していない負荷の小さい上側昇降車両支持台１Ａ〜１Ｃから順番に吊り上げられる。こうして最終的には、横行車両支持台２Ａ，２Ｂの門形フレーム２５で上側格納レベルＵに支持されていた２台の上側昇降車両支持台１Ａ〜１Ｃを含めて、全ての上側昇降車両支持台１Ａ〜１Ｃが、横行車両支持台２Ａ，２Ｂの門形フレーム２５で支持される上側格納レベルＵよりも若干高い上昇限レベルまで吊り上げられることになる。この上昇限レベルは、各上側昇降車両支持台１Ａ〜１Ｃの被吊下用シーブ１５を軸支するシーブ支承部材１６の上端に付設した被当接部材９０（図４及び図５参照）が、図２及び図３に示すように、固定フレームの奥側上端水平フレーム８の下側に設けられた当接部材（緩衝用弾性材）９１（図３及び図４参照）に当接することにより規制できる。なお、当接部材９１は、前記奥側上端水平フレーム８の下側に突設されたブラケット９２の下端に取り付けられる。
【００３６】
全ての上側昇降車両支持台１Ａ〜１Ｃが、横行車両支持台２Ａ，２Ｂの門形フレーム２５で支持される上側格納レベルＵよりも若干高い上昇限レベルまで吊り上げられて、横行車両支持台２Ａ，２Ｂの門形フレーム２５上端の受け止め部材３２から上側昇降車両支持台１Ａ〜１Ｃの被当接部材２１（緩衝用弾性材２１ａ）が浮上したならば、横行車両支持台２Ａ，２Ｂを横行させる。即ち、横行させるべき横行車両支持台２Ａ，２Ｂのモーター３０（図９参照）を稼働させ、連動軸２９を介して片側前後一対の車輪２７ａと溝付き車輪２８ａとを回転駆動させることにより、横行車両支持台２Ａ，２Ｂを、固定フレーム側の横向き凹溝状ガイドレール部２６及び各下側昇降車両支持台３Ａ〜３Ｃの門形フレーム３９上に支持されている分割ガイドレール４０上で水平に自走させることができる。
【００３７】
横行車両支持台２Ａ又は２Ｂ若しくは両横行車両支持台２Ａ，２Ｂの横行により、入出庫対象の１台の上側昇降車両支持台１Ａ〜１Ｃの真下の入出庫レベルＧが空いたならば、昇降駆動手段４の引き込み繰り出し手段６０の巻取りドラム６３をモーター６２により繰り出し方向に回転駆動させる。この結果、端部が緊張用スプリングユニット６４によって固定フレーム側に係止されている吊り下げ索６１が繰り出され、被吊下用シーブ１５を介して全ての上側昇降車両支持台１Ａ〜１Ｃが自重で下降するが、真下の入出庫レベルＧに横行車両支持台２Ａ，２Ｂが在席している２台の上側昇降車両支持台１Ａ〜１Ｃは、下降開始直後に、その被当接部材２１（緩衝用弾性材２１ａ）が真下の横行車両支持台２Ａ，２Ｂの門形フレーム２５上端の受け止め部材３２に当接して受け止められ、上側格納レベルＵに保持される。そして残りの１台、即ち、入出庫対象の１台の上側昇降車両支持台１Ａ〜１Ｃのみが入出庫レベルＧまで下降し、その真下の下側格納レベルＤにある１台の下側昇降車両支持台３Ａ〜３Ｃの門形フレーム３９で支持されている分割ガイドレール４０上に後端側の被当接部材２１（緩衝用弾性材２１ａ）が当接すると共に、前端側の被当接部材２４（緩衝用弾性材２４ａ）が固定フレームの前側中間水平フレーム１２の上面に当接することにより、入出庫レベルＧで支持されるので、この入出庫レベルＧまで下降した１台の上側昇降車両支持台１Ａ〜１Ｃに対して車両の出し入れを行うことができる。
【００３８】
下側格納レベルＤにある３台の下側昇降車両支持台３Ａ〜３Ｃの内、１台の下側昇降車両支持台３Ａ〜３Ｃに対し車両の出し入れを行うときは、その入出庫対象の１台の下側昇降車両支持台３Ａ〜３Ｃの真上の入出庫レベルＧを空けるために、横行車両支持台２Ａ，２Ｂを横行させる。この場合も、横行車両支持台２Ａ，２Ｂを横行させるに先立って、前記のように昇降駆動手段４により全ての上側昇降車両支持台１Ａ〜１Ｃを上側格納レベルＵより若干上方の上昇限レベルまで吊り上げて、横行車両支持台２Ａ，２Ｂを横行可能な状態とした後、前記のように横行車両支持台２Ａ又は２７Ｂ若しくは両横行車両支持台２Ａ，２Ｂを左右横方向に自走させる。
【００３９】
入出庫対象の１台の下側昇降車両支持台３Ａ〜３Ｃの真上が空いたならば、上側昇降車両支持台１Ａ〜１Ｃは上昇限レベルまで吊り上げた状態のままで、昇降駆動手段５の引き込み繰り出し手段６６の巻取りドラム６９をモーター６８により巻取り方向に回転駆動させる。この結果、端部が緊張用スプリングユニット７０によって固定フレーム側に係止されている吊り下げ索６７が引き込まれ、被吊下用シーブ４４を介して全ての下側昇降車両支持台３Ａ〜３Ｃに吊り上げ力が作用するが、真上に横行車両支持台２Ａ，２Ｂが在席している２台の下側昇降車両支持台３Ａ〜３Ｃは、門形フレーム３９上の分割ガイドレール４０を介してその真上の横行車両支持台２Ａ，２Ｂを持ち上げようとする。このとき、図７に示す横行車両支持台２Ａ，２Ｂの後端側の被当接部材（緩衝用弾性材）３３が固定フレーム側の浮き上がり防止部材３４に当接して、横行車両支持台２Ａ，２Ｂの一定以上の浮き上がりを阻止するので、結果的には、真上に横行車両支持台２Ａ，２Ｂが在席しない入出庫対象の１台の下側昇降車両支持台３Ａ〜３Ｃのみが下側格納レベルＤから入出庫レベルＧまで吊り上げられることになる。
【００４０】
なお、前記固定フレーム側の浮き上がり防止部材３４による横行車両支持台２Ａ，２Ｂの浮き上がり防止に際し、横行車両支持台２Ａ，２Ｂは若干の浮き上がりを伴うことになるが、このとき、横行車両支持台２Ａ，２Ｂを押し上げる分割ガイドレール４０の左右両端が固定フレーム側の分割ガイドレール受け部材５２の凹溝部から上方に外れないように構成されている。又、前記固定フレーム側の浮き上がり防止部材３４を設けないで、押し上げられる横行車両支持台２Ａ，２Ｂの門形フレーム２５上端の受け止め部材３２が上昇限レベルで待機している上側昇降車両支持台１Ａ〜１Ｃの被当接部材２１（緩衝用弾性材２１ａ）に当接することにより、入出庫対象でない２台の下側昇降車両支持台３Ａ〜３Ｃを下側格納レベルＤに保持させるように構成することもできる。
【００４１】
図３に示すように、入出庫対象の１台の下側昇降車両支持台３Ａ〜３Ｃが入出庫レベルＧまで吊り上げられたとき、その後端のシーブ支承部材４５の上端に付設されている被当接部材５７（図１０参照）が、固定フレーム側の奥側中間水平フレーム９の下側に付設されている当接部材（緩衝用弾性材）５６（図７及び図９参照）に当接し、当該入出庫対象の１台の下側昇降車両支持台３Ａ〜３Ｃが入出庫レベルＧで保持されるので、入出庫レベルＧ上の当該１台の下側昇降車両支持台３Ａ〜３Ｃに対し車両を出し入れすることができる。
【００４２】
上記のように上側昇降車両支持台１Ａ〜１Ｃ及び下側昇降車両支持台３Ａ〜３Ｃを昇降駆動手段４及び５により昇降駆動するとき、これら上側昇降車両支持台１Ａ〜１Ｃ及び下側昇降車両支持台３Ａ〜３Ｃは、図１３〜図１６に示す水平保持機構によって、水平姿勢を保って昇降する。即ち、上側昇降車両支持台１Ａ〜１Ｃ及び下側昇降車両支持台３Ａ〜３Ｃは、下端のチェン取付ボルト７８，８７によって緊張されている左右一対の内側チェン７３，７５及び８２，８４により、前後方向に介して水平姿勢に保持されると共に、これら左右一対の内側チェン７３，７５及び８２，８４がそれぞれ回転軸１８，４６により連動連結された歯輪１９ｂ，２０ｂ及び４７ｂ，４８ｂに係合しているので、左右横方向に関しても水平姿勢に保持された状態で、昇降することができる。
【００４３】
外側チェン７２，７４及び８１，８３は、上側昇降車両支持台１Ａ〜１Ｃ又は下側昇降車両支持台３Ａ〜３Ｃの前端部側の荷重を受ける、負荷が格段に大きい方の内側チェン７３，７５又は８２，８４に破断事故が生じたとき、上側昇降車両支持台１Ａ〜１Ｃ又は下側昇降車両支持台３Ａ〜３Ｃの前端部側の落下事故を防止するのに役立つ。
【００４４】
なお、上記実施形態では、分割ガイドレール４０と下側昇降車両支持台３Ａ〜３Ｃとを門形フレーム３９を介して固着一体化したが、この両者を一体化する支持部材の形状は、門形フレーム３９に限定されない。又、図１７に示すように、門形フレーム３９等の支持部材上に分割ガイドレール４０を一定範囲内昇降可能に支持し、当該分割ガイドレール４０の両端が固定フレーム側の分割ガイドレール受け部材５２（図７参照）で支持されるレベルよりも下側昇降車両支持台３Ａ〜３Ｃが若干下降したとき、地下ピット６上や固定フレーム側に設けた受け部材により下側昇降車両支持台３Ａ〜３Ｃが受け止められて下側格納レベルＤに達するように構成すれば、下側格納レベルＤにある下側昇降車両支持台３Ａ〜３Ｃを分割ガイドレール４０で吊り下げる必要がなくなり、分割ガイドレール４０や固定フレーム側の分割ガイドレール受け部材５２に作用する負荷を軽減することができる。
【００４５】
なお、図１７中の９３は、門形フレーム３９等の支持部材上に例えば左右一対突設された分割ガイドレール受け部材であって、その凹溝部９４内に分割ガイドレール４０が一定範囲内昇降可能に嵌合している。又、図１７Ａは、分割ガイドレール４０の両端が固定フレーム側の分割ガイドレール受け部材５２に支持された後、下側昇降車両支持台３Ａ〜３Ｃが下側格納レベルＤまで下降した状態を示し、図１７Ｂは、下側格納レベルＤから上昇する下側昇降車両支持台３Ａ〜３Ｃの分割ガイドレール受け部材９３が分割ガイドレール４０を支持して一体に持ち上げる状態を示している。
【００４６】
又、上記実施形態では、分割ガイドレール４０を門形フレーム３９等の支持部材を介して下側昇降車両支持台３Ａ〜３Ｃ上に支持したが、この構成に限定されるわけではなく、要するに、分割ガイドレール４０は、固定フレーム側に横行車両支持台２Ａ，２Ｂを支持する支持位置と、下側昇降車両支持台３Ａ〜３Ｃの入出庫レベルＧまでの上昇を許す退避位置との間で移動可能に支持させ、下側昇降車両支持台３Ａ〜３Ｃの上昇時に前記支持位置から退避位置へ移動させる分割ガイドレール位置切換手段が設けられれば良い。上記実施形態では、分割ガイドレール位置切換手段として、分割ガイドレール４０を下側昇降車両支持台３Ａ〜３Ｃ上に支持する支持部材（実施形態では門形フレーム３９やその上に付設された分割ガイドレール受け部材９３等）が設けられている。
【００４７】
即ち、各分割ガイドレール４０を支持位置と退避位置との間で昇降可能に固定フレーム側に支持し、前記分割ガイドレール位置切換手段として、各下側昇降車両支持台３Ａ〜３Ｃに、入出庫レベルＧへの上昇時にその上の分割ガイドレール４０を退避位置へ押し上げる分割ガイドレール押し上げ部を設けることも可能である。図１８はその実施形態を示すもので、この図１８に示す実施形態では、分割ガイドレール４０は、横行車両支持台２Ａ，２Ｂを横行可能に支持する支持位置にあるとき、その両端部が固定フレーム側の分割ガイドレール受け部材９５に嵌合して支持されている。この分割ガイドレール受け部材９５は、受け部材本体９６とその両側に付設した側板９７とで形成される凹溝状受け部９８により、分割ガイドレール４０の端部を一定姿勢で支持するものである。一方、下側昇降車両支持台３Ａ〜３Ｃは、地下ピットや固定フレーム側に設けられる受け部材により下側格納レベルＤで支持されるものであり、この下側昇降車両支持台３Ａ〜３Ｃに、当該下側昇降車両支持台３Ａ〜３Ｃが入出庫レベルＧまで上昇するとき、分割ガイドレール４０の、分割ガイドレール受け部材９５に嵌合支持される両端より若干内側に入った少なくとも左右２箇所に下から嵌合して、当該分割ガイドレール４０を持ち上げる分割ガイドレール押し上げ部９９が設けられている。
【００４８】
この図１８の実施形態では、入出庫レベルＧに達した下側昇降車両支持台３Ａ〜３Ｃの分割ガイドレール押し上げ部９９で支持されているときの分割ガイドレール４０の位置が前記退避位置となり、入出庫レベルＧから下側昇降車両支持台３Ａ〜３Ｃが下降することにより、分割ガイドレール押し上げ部９９で支持されていた分割ガイドレール４０の両端部が固定フレーム側の分割ガイドレール受け部材９５内に嵌合して所定の姿勢で支持されたときの当該分割ガイドレール４０の位置が、横行車両支持台２Ａ，２Ｂを支持する前記支持位置となる。
【００４９】
上記図１８の実施形態では、入出庫レベルＧから下側昇降車両支持台３Ａ〜３Ｃが下降することにより、分割ガイドレール押し上げ部９９で支持されていた分割ガイドレール４０の両端部が固定フレーム側の分割ガイドレール受け部材９５内に円滑確実に乗り移るように、分割ガイドレール押し上げ部９９は、分割ガイドレール４０を所定の姿勢で定位置に保持して押し上げることができる必要があるが、分割ガイドレール４０を固定フレーム側の例えば奥側支柱７等に、一定姿勢で昇降できるように支持させるときは、下側昇降車両支持台３Ａ〜３Ｃ側に必要な分割ガイドレール押し上げ部は、単に分割ガイドレール４０を下から押し上げることができるものであれば良い。
【００５０】
【発明の効果】
本発明の立体駐車装置は以上のように実施し使用し得るものであって、係る本発明装置によれば、横行車両支持台を支持する前後一対のガイドレールの内、少なくとも一方のガイドレールは、各下側昇降車両支持台ごとに対応するように横行車両支持台の横行方向に複数に分割されており、下側昇降車両支持台の上昇時に各分割ガイドレールを、横行車両支持台を支持する位置から下側昇降車両支持台の入出庫レベルまでの上昇を許す退避位置へ移動させるものであるから、前記横行用ガイドレール（分割ガイドレール）を下側昇降車両支持台の昇降経路内に配設しても、当該横行用ガイドレール（分割ガイドレール）によって下側昇降車両支持台の入出庫レベルへの上昇を妨げられることがない。
【００５１】
従って、下側昇降車両支持台の端部に横行用ガイドレールより外側に突出する吊下部（被吊下用シーブを軸支する部分等）を直接取り付けることができ、従来のように、下側昇降車両支持台の端部から下側に突出して後方に延出する支持部材を介して吊下部を支持する必要がなくなり、下側昇降車両支持台の全体の厚さを必要最小限とすることができる。この結果、下側昇降車両支持台を地下１階の車両格納用として使用する立体駐車装置を構成する場合でも、地下ピットの深さを浅くすることができると共に、下側昇降車両支持台全体の構造も簡単になり、コストダウンを図ることができる。
【００５２】
なお、請求項２に記載の構成によれば、横行車両支持台を支持する前後一対のガイドレールの内、車両出入り口側のガイドレールは従来通り定位置に固定されるので、分割ガイドレールの位置切換手段を車両出入りに影響を及ぼさないように構成しなければならないというような制約を受けない。従って、分割ガイドレールの位置切換手段の構成が簡単になり、容易に実施することができる。
【００５３】
又、本発明の構成によれば、横行車両支持台の車両支持レベルに対する横行用ガイドレール（分割ガイドレール）の上下位置に制約を受けないので、請求項２に記載の構成を採用するに際し、車両出入り口とは反対の奥側に設置される分割ガイドレールの高さを横行車両支持台の車両支持レベルに対し十分に低くすることができるので、請求項３に記載の構成を容易に実現することができる。換言すれば、請求項３に記載の構成により、横行車両支持台の車両出入り口側の横行用ガイドレールやこれに嵌合する前部車輪を水平フレームによって保護することができ、土砂等の異物によって横行車両支持台の走行に支障を来すような不都合を回避できると同時に、分割ガイドレール上を走行する後部車輪と前部車輪とを１本の連動軸で連動連結して前後両車輪を同期駆動できるようにし、以て、横行車両支持台を円滑に横行移動させることができる。
【００５４】
更に、請求項４に記載のように、各分割ガイドレールを支持位置と退避位置との間で昇降可能に固定フレーム側に支持し、分割ガイドレール位置切換手段として、各下側昇降車両支持台に、入出庫レベルへの上昇時にその上の分割ガイドレールを退避位置へ押し上げる分割ガイドレール押し上げ部を設けることもできるが、請求項５に記載の構成によれば、分割ガイドレールを各別に昇降可能に支持する特別な機構が不要であり、装置全体の構成が極めてシンプルになり、安価に実施することができる。この場合、請求項６に記載の構成によれば、各下側昇降車両支持台ごとにモーターを備えた昇降駆動手段が不要になると共に、入出庫レベルへ上昇させる入出庫対象以外の下側昇降車両支持台を下側格納レベルにロックしておくための特別なロック機構も不要になり、より一層安価に実施することができる。
【００５５】
又、請求項７に記載の構成によれば、分割ガイドレールを下側昇降車両支持台に支持させるための支持部材（門形フレーム等）に横行車両支持台側の荷重を掛けないで済み、しかも、各分割ガイドレールを確実に一定レベルで直線状に直列配置することができ、横行車両支持台の横行移動を円滑良好に行わせることができる。
【００５６】
請求項８に記載の構成によれば、下側昇降車両支持台の前後方向の揺れや変形、分割ガイドレールを支持する支持部材（門形フレーム等）の変形等に関係なく、横行車両支持台を支持する分割ガイドレールの支持位置を無理なく確定させることができ、横行車両支持台の横行移動を円滑良好に行わせることができる。特に、請求項７に記載の構成と組み合わせるときは、分割ガイドレールの端部を固定フレーム側の受け部材で受けさせるときに当該分割ガイドレールの支持部材等に無理な力を掛けないで済む。
【００５７】
又、請求項９に記載の構成によれば、分割ガイドレールを下側昇降車両支持台上に支持させることが容易であるばかりでなく、門形フレームが下側昇降車両支持台上の車両搭載エリアを跨ぐように配置することにより、分割ガイドレールの支持によって当該下側昇降車両支持台上の車両搭載エリアが狭くなることがない。
【００５８】
更に、請求項１０に記載の構成によれば、上側昇降車両支持台を入出庫レベルで支持させるための特別な受け手段を設ける必要がなくなり、装置全体の構成が簡単になる。
【図面の簡単な説明】
【図１】  装置全体の縦断側面図である。
【図２】  要部の背面図である。
【図３】  １台の下側昇降車両支持台を入出庫レベルまで上昇させた状態での概略背面図である。
【図４】  上側格納レベルにある上側昇降車両支持台の要部を示す一部切り欠き側面図である。
【図５】  同上側昇降車両支持台の要部を示す平面図である。
【図６】  横行車両支持台の要部を示す側面図である。
【図７】  同横行車両支持台の後端側の支持構造を示す縦断側面図である。
【図８】  同横行車両支持台の後端側の支持構造を示す縦断背面図である。
【図９】  同横行車両支持台の要部を示す一部切り欠き平面図である。
【図１０】  下側昇降車両支持台の要部を示す側面図である。
【図１１】  同下側昇降車両支持台の要部を示す平面図である。
【図１２】  昇降駆動手段を示す概略斜視図である。
【図１３】  昇降車両支持台の水平保持機構を示す概略斜視図である。
【図１４】  同水平保持機構を要部を示す縦断側面図である。
【図１５】  同水平保持機構を要部を示す縦断側面図である。
【図１６】  同水平保持機構を要部を示す平面図である。
【図１７】  分割ガイドレールの支持構造の変形例を示し、Ａ図は分割ガイドレールが横行車両支持台の支持位置にある状態での縦断側面図、Ｂ図は分割ガイドレールが下側昇降車両支持台の支持部材（門形フレーム）によって退避位置へ持ち上げられる状態での縦断側面図である。
【図１８】  分割ガイドレールの別の支持構造を示し、Ａ図は分割ガイドレールが横行車両支持台の支持位置にある状態での側面図、Ｂ図は分割ガイドレールが下側昇降車両支持台の押し上げ部材によって退避位置へ押し上げられた状態での縦断側面図である。
【符号の説明】
１Ａ〜１Ｃ    上側昇降車両支持台
２Ａ，２Ｂ    横行車両支持台
３Ａ〜３Ｃ    下側昇降車両支持台
４    上側昇降車両支持台の昇降駆動手段
５    下側昇降車両支持台の昇降駆動手段
１５    被吊下用シーブ
２５    門形フレーム
２６    横向き凹溝状ガイドレール部（横行車両支持台の前側横行用ガイドレール）
２７ａ，２７ｂ    横行車両支持台の前部車輪
２８ａ，２８ｂ    横行車両支持台の後部溝付き車輪
２９    連動軸
３０    モーター（横行車両支持台の横行移動用モーター）
３４    横行車両支持台の浮き上がり防止部材
３９    門形フレーム（分割ガイドレールの支持部材）
４０    分割ガイドレール（横行車両支持台の後側横行用ガイドレール）
４２    溝付きガイドローラー（門形フレーム又は分割ガイドレールの昇降ガイド手段）
４４    被吊下用シーブ
５２    固定フレーム側の分割ガイドレール受け部材
６０，６６    引き込み繰り出し手段
６１，６７    吊り下げ索
６３，６９    巻取りドラム
６５ａ，６５ｂ，７１ａ，７１ｂ    吊下用シーブ
６４，７０    緊張用スプリングユニット
８８    ゲート
９３    門形フレーム（支持部材）上の分割ガイドレール受け部材
９５    固定フレーム側の分割ガイドレール受け部材
９９    分割ガイドレール押し上げ部
【図１】
0003680925.tif 000002
【図２】
0003680925.tif 000003
【図３】
0003680925.tif 000004
【図４】
0003680925.tif 000005
【図５】
0003680925.tif 000006
【図６】
0003680925.tif 000007
【図７】
0003680925.tif 000008
【図８】
0003680925.tif 000009
【図９】
0003680925.tif 000010
【図１０】
0003680925.tif 000011
【図１１】
0003680925.tif 000012
【図１２】
0003680925.tif 000013
【図１３】
0003680925.tif 000014
【図１４】
0003680925.tif 000015
【図１５】
0003680925.tif 000016
【図１６】
0003680925.tif 000017
【図１７】
0003680925.tif 000018
【図１８】
0003680925.tif 000019